(57)【要約】【課題】生理用品を持ち込む煩わしさを解消するとともに、一見して生理用品が何処にあるかがわからず、全くもって不快感を感じることのない、生理用品を収納可能な予備トイレットペーパー保管具の提供を図る。【解決手段】トイレットペーパーホルダー下方に取り付けられる予備トイレットペーパー保管具であって、該予備トイレットペーパー保管具の化粧室壁面と当接する背面に、生理用品を収納するための生理用品収納用ポケットが少なくとも一以上具備されている構造となっている。【選択図】  図１
0003152640.tif 000002
【実用新案登録請求の範囲】
【請求項１】
トイレットペーパーホルダー下方に取り付けられる予備トイレットペーパー保管具であって、該予備トイレットペーパー保管具の化粧室壁面と当接する背面に、生理用品を収納するための生理用品収納用ポケットが少なくとも一以上具備されていることを特徴とする生理用品収納用ポケット付予備トイレットペーパー保管具。
【請求項２】
前記生理用品収納用ポケット付予備トイレットペーパー保管具において、生理用品収納用ポケットが、上辺が開放された上方開放型ポケットであることを特徴とする請求項１に記載の生理用品収納用ポケット付予備トイレットペーパー保管具。
【請求項３】
前記生理用品収納用ポケット付予備トイレットペーパー保管具において、生理用品収納用ポケットが、左側辺または右側辺の少なくとも一方が開放された側方開放型ポケットであることを特徴とする請求項１に記載の生理用品収納用ポケット付予備トイレットペーパー保管具。
【請求項４】
前記生理用品収納用ポケット付予備トイレットペーパー保管具において、生理用品収納用ポケットの開放辺が伸縮性を備えることを特徴とする請求項２または請求項３に記載の生理用品収納用ポケット付予備トイレットペーパー保管具。
【考案の詳細な説明】
【技術分野】
【０００１】
本考案は、予備トイレットペーパー保管具に関し、詳しくは、トイレットペーパーだけでなく、生理用品を収納することが可能な予備トイレットペーパー保管具に関するものである。
【背景技術】
【０００２】
一般的に女性が使用する生理用ナプキンやタンポンといった生理用品は、通常化粧室以外の場所に保管され、これを化粧室内に持ち込んで使用されている。その結果、逐一必要に応じて生理用品の持ち込みをなす必要があるといった煩わしさがあった。
【０００３】
また、生理用品について、化粧室内の所定位置にそのままの状態で置かれていることもある。かかる生理用品は、女性にとって堂々と見せびらかすものではなく、それを見る男性側も、あまり気持ちのいいものではない。
【０００４】
そこで従来より、上記問題点を解消すべく、図６に示すような生理用品収納具が提案されている。これによれば、かかる生理用品収納具を化粧室内に備えることにより、逐一必要に応じて生理用品を持ち込む必要がなく、また、生理用品を直接目にする不快感も解消することができる
【考案の開示】
【考案が解決しようとする課題】
【０００５】
しかしながら、上述した図６に示す生理用品収納具においては、それが化粧室内に備えられることで、そこへ生理用品が収納されていることが一目瞭然となり、結果として、男性にとっても女性にとっても、多少の不快感を感じ得てしまうことは否めない。
【０００６】
そこで、本考案は、上記事情に鑑みてなされたものであり、生理用品を持ち込む煩わしさを解消するとともに、一見して生理用品が何処にあるかがわからず、全くもって不快感を感じることのない、生理用品を収納可能な予備トイレットペーパー保管具を提供することを課題としている。
【課題を解決するための手段】
【０００７】
このような課題を解決するために、本考案は、トイレットペーパーホルダー下方に取り付けられる予備トイレットペーパー保管具であって、該予備トイレットペーパー保管具の化粧室壁面と当接する背面に、生理用品を収納するための生理用品収納用ポケットが少なくとも一以上具備されていることを特徴とする生理用品収納用ポケット付予備トイレットペーパー保管具。を提供する。
【０００８】
すなわち、本考案に係る生理用品収納用ポケット付予備トイレットペーパー保管具においては、予備トイレットペーパー保管具の背面に具備されたポケットに、生理用品を収納するように構成されている。
【０００９】
また、本考案は、前記生理用品収納用ポケットについて、上辺が開放された上方開放型ポケットとすることもできるし、左側辺または右側辺の少なくとも一方が開放された側方開放型ポケットとすることも可能である。
【００１０】
そしてまた、本考案は、前記生理用品収納用ポケットの開放辺について、伸縮性を備えさせる構成を採用することができる。
この構成によれば、ポケット内に収納された生理用品が、ポケット外に落下したりすることを有効に防止することが可能となる。
【考案の効果】
【００１１】
本考案に係る生理用品収納用ポケット付予備トイレットペーパー保管具によれば、化粧室内に生理用品が収納・保管されるため、逐一必要に応じて生理用品を持ち込む煩わしさを解消することができる。
【００１２】
また、本考案に係る生理用品収納用ポケット付予備トイレットペーパー保管具によれば、化粧室内において、一見して生理用品が何処にあるかがわからずに、男性・女性の両方にとって全くもって不快感を感じさせることがなくなるといった効果も奏する。
【考案を実施するための最良の形態】
【００１３】
以下、本考案に係る生理用品収納用ポケット付予備トイレットペーパー保管具の実施形態について、図面を参照しながら説明する。
【００１４】
＜第一実施形態＞
図１及び図２は、本考案に係る生理用品収納用ポケット付予備トイレットペーパー保管具１の一例を示しており、図１は斜視図、図２は側面図である。
【００１５】
この生理用品収納用ポケット付予備トイレットペーパー保管具１は、図１及び図２に示すように、予備トイレットペーパー保管具２の化粧室壁面Ｗと当接する背面２ａに、生理用品Ｎを収納するための生理用品収納用ポケット３を具備させた構成となっている。
【００１６】
ここで、予備トイレットペーパー保管具２は、全体が方形状の布製からなり、該方形状の布の対向する側辺部近傍同士を縫い合わせる等して接続することにより筒状体を形成することで、その筒状体内にトイレットペーパーＰを保持するためのトイレットペーパー保持部２ｂが構成されている。
【００１７】
また、該予備トイレットペーパー保管具２の上方部には、化粧室内に備えられたトイレットペーパーホルダーＨに取り付けるための取り付け機構２ｃが設けられている。
【００１８】
そして、予備トイレットペーパー保管具２の背面２ａには、一の生理用品収納用ポケット３が具備されている。該生理用品収納用ポケット３は、上辺が開放された上方開放型ポケットとなっており、その開放辺３ａである上辺にゴム等による伸縮性を備えた構造が採用されている。
【００１９】
次に、本実施形態に係る生理用品収納用ポケット付予備トイレットペーパー保管具１の使用例について説明する。
【００２０】
本実施形態に係る生理用品収納用ポケット付予備トイレットペーパー保管具１は、予備トイレットペーパー保管具２の上方部に設けられた取り付け機構２ｃを使って、トイレットペーパーホルダーＨの下方にぶら下がるようにして取り付けられる。そして、予備トイレットペーパー保管具２におけるトイレットペーパー保持部２ｂには、予備のトイレットペーパーＰが保持され、また、生理用品収納ポケット３には、その開放辺３ａである上辺を介して各種生理用品Ｎが収納される。
【００２１】
なお、本実施形態に係る生理用品収納用ポケット付予備トイレットペーパー保管具１においては、予備トイレットペーパー保管具２の材質を布製とした場合について説明したが、これに限らず、例えば柔軟性を備えるプラスチックシート製などでもよい。
【００２２】
また、本実施形態に係る生理用品収納用ポケット付予備トイレットペーパー保管具１においては、全体が方形状の布の対向する側辺部近傍同士を接続することにより筒状体を形成し、一のトイレットペーパーＰのみを保持可能な構造について説明したが、図３に示すような二連式あるいはそれ以上のトイレットペーパー保持部２ｂを備え、二以上のトイレットペーパーＰを保持可能な構造とすることも可能である。
【００２３】
さらに、本実施形態に係る生理用品収納用ポケット付予備トイレットペーパー保管具１においては、予備トイレットペーパー保管具２の背面２ａに一の生理用品収納用ポケット３が具備されている構成について説明したが、二以上の生理用品収納用ポケット３が具備された構成としてもよい。
【００２４】
そしてまた、本実施形態に係る生理用品収納用ポケット付予備トイレットペーパー保管具１においては、生理用品収納用ポケット３の開放辺３ａである上辺にゴム等による伸縮性を備えたものについて説明したが、かかる伸縮性を備えていない構造であってもよい。
【００２５】
＜第二実施形態＞
図４及び図５は、本考案に係る生理用品収納用ポケット付予備トイレットペーパー保管具１の一例を示し、図４は斜視図、図５は側面図である。
【００２６】
この生理用品収納用ポケット付予備トイレットペーパー保管具１は、図４及び図５に示すように、予備トイレットペーパー保管具２の化粧室壁面Ｗと当接する背面２ａに、生理用品Ｎを収納するための生理用品収納用ポケット３を具備させた構成となっている。
【００２７】
なお、予備トイレットペーパー保管具２の材質、形状については、上述した第一実施形態と同様である
また、第一実施形態と同様、該予備トイレットペーパー保管具２の上方部には、化粧室内に備えられたトイレットペーパーホルダーＨに取り付けるための取り付け機構２ｃが設けられている。
【００２８】
そして、予備トイレットペーパー保管具２の背面２ａには、一の生理用品収納用ポケット３が具備されている。該生理用品収納用ポケット３は、左側辺及び右側辺が開放された側方開放型ポケットとなっており、その開放辺3ａである両側辺にゴム等による伸縮性を備えた構造が採用されている。
【００２９】
次に、本実施形態に係る生理用品収納用ポケット付予備トイレットペーパー保管具１の使用例について説明する。
【００３０】
本実施形態に係る生理用品収納用ポケット付予備トイレットペーパー保管具１は、予備トイレットペーパー保管具２の上方部に設けられた取り付け機構２ｃを使って、トイレットペーパーホルダーＨの下方にぶら下がるようにして取り付けられる。そして、予備トイレットペーパー保管具２におけるトイレットペーパー保持部２ｂには、予備のトイレットペーパーＰが保持され、また、生理用品収納ポケット３には、開放辺３ａである側辺を介して各種生理用品Ｎが収納される。
【００３１】
なお、本実施形態に係る生理用品収納用ポケット付予備トイレットペーパー保管具１においては、予備トイレットペーパー保管具２の材質を布製とした場合について説明したが、これに限らず、例えば柔軟性を備えるプラスチックシート製などでもよい。
【００３２】
また、本実施形態に係る生理用品収納用ポケット付予備トイレットペーパー保管具１においては、全体が方形状の布の対向する側辺部近傍同士を接続することにより筒状体を形成し、一のトイレットペーパーＰのみを保持可能な構造について説明したが、図３に示すような二連式あるいはそれ以上のトイレットペーパー保持部２ｂを備え、二以上のトイレットペーパーＰを保持可能な構造とすることも可能である。
【００３３】
さらに、本実施形態に係る生理用品収納用ポケット付予備トイレットペーパー保管具１においては、予備トイレットペーパー保管具２の背面２ａに一の生理用品収納用ポケット３が具備されている構成について説明したが、二以上の生理用品収納用ポケット３が具備された構成としてもよい。
【００３４】
そしてまた、本実施形態に係る生理用品収納用ポケット付予備トイレットペーパー保管具１においては、生理用品収納用ポケット３を、左側辺及び右側辺の両方が開放された側方開放型ポケットとした場合について説明したが、いずれか一側辺については開放しない構造とすることも可能である。
【００３５】
さらにまた、本実施形態に係る生理用品収納用ポケット付予備トイレットペーパー保管具１においては、生理用品収納用ポケット３の開放辺３ａである両側辺にゴム等による伸縮性を備えたものについて説明したが、かかる伸縮性を備えていない構造であってもよい。
【図面の簡単な説明】
【００３６】
【図１】本考案に係る生理用品収納用ポケット付予備トイレットペーパー保管具の一例を示す斜視図である。
【図２】本考案に係る生理用品収納用ポケット付予備トイレットペーパー保管具の一例を示す側面図である。
【図３】本考案に係る生理用品収納用ポケット付予備トイレットペーパー保管具の一例を示す側面図である。
【図４】本考案に係る生理用品収納用ポケット付予備トイレットペーパー保管具の一例を示す斜視図である。
【図５】本考案に係る生理用品収納用ポケット付予備トイレットペーパー保管具の一例を示す側面図である。
【図６】従来の生理用品収納具を示す斜視図である。
【符号の説明】
【００３７】
１    生理用品収納用ポケット付予備トイレットペーパー保管具
２    予備トイレットペーパー保管具
２ａ  背面
２ｂ  トイレットペーパー保持部
２ｃ  取り付け機構
３    生理用品収納用ポケット
３ａ  開放辺
Ｈ    トイレットペーパーホルダー
Ｎ    生理用品
Ｐ    トイレットペーパー
Ｗ    化粧室壁面
【図１】
0003152640.tif 000003
【図２】
0003152640.tif 000004
【図３】
0003152640.tif 000005
【図４】
0003152640.tif 000006
【図５】
0003152640.tif 000007
【図６】
0003152640.tif 000008